(57)【要約】      （修正有）【課題】セロハンテープ軸を提供する。【解決手段】セロハンテープ軸３は、第一スリーブ２１および第二スリーブ２３を備えることによってサイズの異なるセロハンテープをコントロールする。第二スリーブ２３は、少なくとも二つの対角線が相互に垂直する柱状体から構成される。セロハンテープを使用する際、使用したい部位は第一スリーブ２１の欠け口２１２を通ってセロハンテープ台へ引っ張られる。上述した構造により、セロハンテープ軸３はユーザーのニーズに応じて第一スリーブ２１および第二スリーブ２３にサイズの異なるセロハンテープを被せて使用することができる。一方、第二スリーブ２３に被さるセロハンテープを引っ張る際、セロハンテープの内壁と第二スリーブ２３との間に摩擦力が生じるため、セロハンテープの回転に伴ってセロハンテープ軸３の回転軸２５が作動することを抑制する。【選択図】図５
0003197648.tif 000002
【実用新案登録請求の範囲】
【請求項１】
第一スリーブ、第二スリーブおよびセロハンテープ台に回転可能に装着される回転軸を備え、
前記第一スリーブは、欠け口および格納室を有し、前記格納室は前記欠け口に繋がるように前記第一スリーブの一側に開放状に形成され、
前記第二スリーブは、前記格納室に格納され、
前記回転軸は、前記第一スリーブおよび前記格納室内の前記第二スリーブに同軸上に差し込まれ、
前記回転軸と前記第二スリーブとは中心が偏るように配置され、
前記第一スリーブおよび前記第二スリーブはそれぞれのサイズの異なるセロハンテープを支持および制御し、前記セロハンテープを前記第二スリーブに被せて使用する際、使用したい部位は前記第一スリーブの前記欠け口を通って前記セロハンテープ台へ引っ張られることを特徴とする、
セロハンテープ軸。
【請求項２】
前記第一スリーブは、少なくとも一つの制御突起部を有し、前記第一スリーブの前記制御突起部はサポーターとして前記セロハンテープの内壁に制御されることを特徴とする請求項１に記載のセロハンテープ軸。
【請求項３】
前記第二スリーブは、少なくとも二つの制御突起部を有し、前記第二スリーブの前記制御突起部は任意の二つの相互に垂直する対角線上の端部に位置付けられ、サポーターとして前記セロハンテープの内壁に制御されることを特徴とする請求項２に記載のセロハンテープ軸。
【請求項４】
前記第二スリーブは、少なくとも二つの制御突起部を有し、前記第二スリーブの前記制御突起部は任意の二つの相互に垂直する対角線上の端部に位置付けられ、サポーターとして前記セロハンテープの内壁に制御されることを特徴とする請求項１に記載のセロハンテープ軸。
【請求項５】
前記第二スリーブは、菱形体から構成されることを特徴とする請求項１から請求項４のいずれか一つに記載のセロハンテープ軸。
【請求項６】
前記回転軸の中心から前記第一スリーブの前記欠け口までの距離は前記第二スリーブの中心から前記第一スリーブの前記欠け口までの距離より小さいか大きいことを特徴とする請求項５に記載のセロハンテープ軸。
【請求項７】
前記回転軸の中心から前記第一スリーブの前記欠け口までの距離は前記第二スリーブの中心から前記第一スリーブの前記欠け口までの距離より小さいか大きいことを特徴とする請求項１から請求項４のいずれか一つに記載のセロハンテープ軸。
【考案の詳細な説明】
【技術分野】
【０００１】
本考案は、セロハンテープ軸に関し、詳しくはサイズの異なるセロハンテープに対応できるセロハンテープ軸に関するものである。
【背景技術】
【０００２】
図１に示すように、従来のセロハンテープ台に回転可能に装着されるセロハンテープ軸１は、第一スリーブ１１、第二スリーブ１３および回転軸１５を備える。第一スリーブ１１は欠け口１１２を有する。回転軸１５は同軸上に第一スリーブ１１および第二スリーブ１３内に配置される。セロハンテープＴ１は欠け口１１２から第二スリーブ１３に装着され、回転軸１５の回転に伴って作動する。セロハンテープＴ１を使用する際、使用したい部分は第二スリーブ１３から引っ張られ、第一スリーブ１１の欠け口１１２を通ってセロハンテープ台のカッター部位まで伸ばされる。
【０００３】
以上は、従来のセロハンテープ軸１の構造特徴についての説明である。口径の異なるセロハンテープＴ１を使用する際、上述した従来のセロハンテープ軸１は第一スリーブ１１と第二スリープ１３が同軸上に配置されるため、セロハンテープＴ１は第二スリーブ１３に被さり、回転軸１５の回転に伴って作動する。
しかしながら、はじめセロハンテープＴ１から離れた位置にある第一スリーブ１１は慣性の法則によってセロハンテープＴ１に徐々に接近し、セロハンテープＴ１に接触してしまうため、セロハンテープＴ１を引っ張る際のスムーズさおよび使用機能が落ち、セロハンテープ台の使用上の利便性に間接的に影響を与えてしまう。従って、従来のセロハンテープ軸１には改善の余地がある。
【考案の概要】
【考案が解決しようとする課題】
【０００４】
本考案は、上述した欠点に鑑み、中心が偏ることによってサイズの異なるセロハンテープに対応することができるセロハンテープ軸を提供することを主な目的とする。
【課題を解決するための手段】
【０００５】
上述の目的を達成するために、本考案によるセロハンテープ軸は、第一スリーブ、第二スリーブおよびセロハンテープ台に回転可能に装着される回転軸を備える。第一スリーブは欠け口および格納室を有する。格納室は欠け口に繋がるように第一スリーブの一側に開放状に形成される。第二スリーブは格納室に格納される。回転軸は第一スリーブおよび格納室内の第二スリーブに同軸上に差し込まれる。回転軸と第二スリーブとは中心が偏るように配置される。第一スリーブおよび第二スリーブはそれぞれのサイズの異なるセロハンテープを支持および制御する。セロハンテープを第二スリーブに被せて使用する際、使用したい部位は第一スリーブの欠け口を通ってセロハンテープ台へ引っ張られる。
【０００６】
第一スリーブは、少なくとも一つの制御突起部を有する。制御突起部はサポーターとしてセロハンテープの内壁に制御される。
【０００７】
第二スリーブは、少なくとも二つの制御突起部を有する。制御突起部は任意の二つの相互に垂直する対角線上の端部に位置付けられ、サポーターとしてセロハンテープの内壁に制御される。
【０００８】
回転軸の中心から第一スリーブの欠け口までの距離は第二スリーブの中心から第一スリーブの欠け口までの距離より小さいか大きい。
【０００９】
上述した構造による、本考案の効果および特徴は次の通りである。
本考案によるセロハンテープ軸において、第一スリーブおよび第二スリーブはそれぞれサイズの異なるセロハンテープに対応できる。第二スリーブは中心が偏るように配置されるため、セロハンテープの回転に伴ってセロハンテープ軸の回転軸が作動することを抑制する。このため、はじめセロハンテープから離れた位置にある第一スリーブが慣性の法則によってセロハンテープに徐々に接近・接触するという現象から逃れることができるようになるため、セロハンテープを引っ張る際のスムーズさを向上させ、セロハンテープ台の使用上の利便性を間接的に向上させることができる。従って、本考案によるセロハンテープ軸により、ユーザーは任意のサイズの異なるセロハンテープを使用することができる。
【００１０】
本考案によるセロハンテープ軸の構造、作動特徴および効果は以下の実施形態の詳細な説明により明確にされる。
【図面の簡単な説明】
【００１１】
【図１】従来のセロハンテープ軸を示す平面図である。
【図２】本考案の第１実施形態によるセロハンテープ軸の第一対応方式を示す平面図である。
【図３】本考案の第１実施形態によるセロハンテープ軸の第二対応方式を示す平面図である。
【図４】本考案の第２実施形態によるセロハンテープ軸の第一対応方式を示す斜視図である。
【図５】本考案の第２実施形態によるセロハンテープ軸の構造を示す斜視図である。
【図６】本考案の第２実施形態によるセロハンテープ軸の構造を示す平面図である。
【図７】本考案の第２実施形態によるセロハンテープ軸の構造を示す左側側面図である。
【図８】本考案の第２実施形態によるセロハンテープ軸の構造を示す左側面斜視図である。
【図９】本考案の第２実施形態によるセロハンテープ軸の第二対応方式を示す平面図である。
【図１０】本考案の第２実施形態によるセロハンテープ軸の第二対応方式を示す平面図である。
【図１１】本考案の第３実施形態によるセロハンテープ軸の使用状態を示す平面図である。
【考案を実施するための形態】
【００１２】
以下、本考案によるセロハンテープ軸を図面に基づいて説明する。なお、図中の同じ符号は同じ部品または類似した部品のまたはその構造特徴を示す。
【００１３】
（第１実施形態）
図２および図３に示すように、本考案の第１実施形態によるセロハンテープ軸２は、サイズの異なるセロハンテープに対応でき、第一スリーブ２１、第二スリーブ２３およびセロハンテープ台２０に回転可能に装着される回転軸２５を備える。
【００１４】
第一スリーブ２１は、欠け口２１２および格納室２１４を有する。格納室２１４は欠け口２１２に繋がるように第一スリーブ２１の一側に開放状に形成される。
【００１５】
第二スリーブ２３は格納室２１４に格納される。回転軸２５は第一スリーブ２１および格納室２１４内の第二スリーブ２３に同軸上に差し込まれる。回転軸２５と第二スリーブ２３とは中心が偏るように配置される。
【００１６】
回転軸２５の中心Ｍ１から第一スリーブ２１の欠け口２１２までの距離Ｄ１は第二スリーブ２３の中心Ｍ２から第一スリーブ２１の欠け口２１２までの距離Ｄ２より小さいか大きい。
【００１７】
以上は、本考案の第１実施形態の構造特徴についての説明である。続いて、本考案の第２実施形態の構造特徴、効果および目的について説明を進める。
【００１８】
（第２実施形態）
図４から図８に示すように、本考案の第２実施形態によるセロハンテープ軸３はサイズの異なるセロハンテープに対応でき、主な構造が第１実施形態とほぼ同じである。第１実施形態との違いは次の通りである。
【００１９】
第一スリーブ２１は、少なくとも一つの制御突起部２１６を有する。制御突起部２１６はサポーターとしてセロハンテープＴ２の内壁に制御される。
【００２０】
第二スリーブ２３は、少なくとも二つの対角線が相互に垂直する柱状体から構成され、少なくとも二つの制御突起部２３６を有する。制御突起部２３６は任意の二つの相互に垂直する対角線上の端部に位置付けられ、サポーターとしてセロハンテープＴ２の内壁に制御されることで接点式制御効果を果たす。
【００２１】
第２実施形態において、第一スリーブ２１は四つの制御突起部２１６を有する。四つの制御突起部２１６は第一スリーブ２１の外周に隣り合って配置される。第二スリーブ２３は中心が偏る菱形体から構成され、四つの制御突起部２３６を有する。四つの制御突起部２３６はそれぞれ第二スリーブ２３の二つの相互に垂直する対角線上の端部に配置される。  
【００２２】
図４に示すように、第２実施形態によるセロハンテープ軸３をセロハンテープ台２０に回転可能に装着する第一対応方式の構造特徴および効果は次の通りである。
セロハンテープＴ２が第一スリーブ２１に被さる際、第一スリーブ２１の四つの制御突起部２１６はサポーターとしてセロハンテープＴ２の内壁に制御される。セロハンテープ軸３の回転軸２５はセロハンテープ台２０の中に回転可能に装着されるため、セロハンテープＴ２を使用する際、使用したい部位はセロハンテープ軸３の回転軸２５の回転によってセロハンテープ台２０のカッター部位２０２まで引っ張られる。以上が、第２実施形態によるセロハンテープ軸３の第一対応方式の達成した効果および目的である。
【００２３】
図９および図１０に示すように、第２実施形態によるセロハンテープ軸３をセロハンテープ台２０に回転可能に装着する第二対応方式の構造特徴および効果は次の通りである。
別の一つのセロハンテープＴ３が第二スリーブ２３に被さる際、第二スリーブ２３の四つの制御突起部２３６はサポーターとしてセロハンテープＴ３の内壁に制御されることでセロハンテープＴ３の内壁に接点式制御効果を果たす。セロハンテープＴ３を引っ張る際、セロハンテープＴ３の内壁と四つの制御突起部２３６との間に摩擦力が生じるため、セロハンテープＴ３は四つの制御突起部２３６との間の摩擦力を切り抜けなければならない。セロハンテープ軸３の回転軸２５はセロハンテープＴ３の回転に伴って作動することがない。セロハンテープＴ３を使用する際、使用したい部分は第一スリーブ２１の欠け口２１２を通ってセロハンテープ台２０のカッター部位２０２まで引っ張られる。以上が第２実施形態によるセロハンテープ軸３の第二対応方式の達成した効果および目的である。
【００２４】
上述したとおり、第１実施形態および第２実施形態において、セロハンテープ軸２、３はユーザーのニーズに応じて第一対応方式および第二対応方式を切り替え、セロハンテープ台２０とともに作動することができる。
セロハンテープ軸２、３において、第一スリーブ２１および第二スリーブ２３はサイズの異なるセロハンテープＴ２、Ｔ３に対応できる。第二スリーブ２３は中心が偏るように配置されるため、セロハンテープＴ２、Ｔ３の回転に伴って回転軸２５が作動することを抑制する。このため、はじめセロハンテープＴ２、Ｔ３から離れた位置にある第一スリーブ２１が慣性の法則によってセロハンテープＴ２、Ｔ３に徐々に接近・接触するという現象から逃れることができるようになるため、セロハンテープＴ２、Ｔ３を引っ張る際のスムーズさを向上させ、セロハンテープ台２０の使用上の利便性を間接的に向上させることができる。
【００２５】
以上は、第１実施形態および第２実施形態の構造特徴、効果および目的についての説明である。続いて、本考案の第３実施形態の構造特徴、効果および目的について説明を進める。
【００２６】
（第３実施形態）
図１１に示すように、本考案の第３実施形態によるセロハンテープ軸４はサイズの異なるセロハンテープに対応でき、主な構造は上述した実施形態とほぼ同じである。上述した実施形態との違いは次の通りである。
【００２７】
第二スリーブ２３は、少なくとも二つの制御突起部２３６を有する。制御突起部２３６はサポーターとしてセロハンテープＴ４の内壁に制御されることでセロハンテープＴ４の内壁に少なくとも二つの接点式制御部を形成する。
【００２８】
セロハンテープＴ４を引っ張る際、セロハンテープＴ４の内壁と二つの制御突起部２３６との間に摩擦力が生じるため、セロハンテープＴ４は二つの制御突起部２３６との間の摩擦力を切り抜けなければならない。セロハンテープＴ４の回転に伴ってセロハンテープ軸４の回転軸２５が作動することは抑制される。セロハンテープＴ４を使用する際、使用したい部分は第一スリーブ２１の欠け口２１２を通ってセロハンテープ台２０のカッター部位２０２まで引っ張られる。以上が第３実施形態によるセロハンテープ軸３の第二対応方式の達成した効果および目的である。
【００２９】
以上、本考案は、上記実施形態になんら限定されるものではなく、考案の趣旨を逸脱しない範囲において種々の形態で実施可能である。
【符号の説明】
【００３０】
１  セロハンテープ軸    
１１  第一スリーブ    
１３  第二スリーブ    
１５  回転軸    
Ｔ１  セロハンテープ  
２、３、４  セロハンテープ軸    
２０  セロハンテープ台  
２０２  カッター部位  
２１  第一スリーブ  
２１２  欠け口  
２１４  格納室  
２１６  制御突起部  
２３  第二スリーブ  
２３６  制御突起部  
２５  回転軸  
Ｄ１、Ｄ２  距離  
Ｍ１、Ｍ２  中心  
Ｔ２、Ｔ３、Ｔ４  セロハンテープ
【図１】
0003197648.tif 000003
【図２】
0003197648.tif 000004
【図３】
0003197648.tif 000005
【図４】
0003197648.tif 000006
【図５】
0003197648.tif 000007
【図６】
0003197648.tif 000008
【図７】
0003197648.tif 000009
【図８】
0003197648.tif 000010
【図９】
0003197648.tif 000011
【図１０】
0003197648.tif 000012
【図１１】
0003197648.tif 000013